(57)【要約】【課題】縦実装型の電子機器と横実装型の電子機器とで共通の基板ユニットを使用することができるようにして、コストダウンすることを目的とする。【解決手段】基板ユニット１０は、基板１２、導風板２２、及び、アーム２６を備えている。基板１２には、制御素子１６が実装されている。導風板２２は、基板１２に回動可能に連結されている。この導風板２２は、基板１２に対して第一の方向から流れる冷却風Ｗ１を制御素子１６に案内する第一回動位置と、基板１２に対して第二の方向から流れる冷却風Ｗ２を制御素子１６に案内する第二回動位置とに変位される。アーム２６は、基板１２に移動可能に取り付けられると共に、導風板２２の回動端に回動可能に連結されている。このアーム２６は、移動に伴って導風板２２を第一回動位置と第二回動位置とに変位させる。【選択図】図１
2014183103.tif 000002
【特許請求の範囲】
【請求項１】
冷却対象物が実装された基板と、
前記基板に回動可能に連結され、前記基板に対して第一の方向から流れる冷却風を前記冷却対象物に案内する第一回動位置と、前記基板に対して第二の方向から流れる冷却風を前記冷却対象物に案内する第二回動位置とに変位される導風板と、
前記基板に移動可能に取り付けられると共に、前記導風板の回動端に回動可能に連結され、移動に伴って前記導風板を前記第一回動位置と前記第二回動位置とに変位させるアームと、
を備えた基板ユニット。
【請求項２】
前記導風板は、冷却風の案内方向に伸縮する、
請求項１に記載の基板ユニット。
【請求項３】
前記基板に設けられた第一係止部と、前記アームに設けられた第二係止部とに係止され、前記導風板が前記第一回動位置及び前記第二回動位置の一方にあるときに自由状態となり、前記導風板が前記第一回動位置及び前記第二回動位置の他方にあるときに弾性変形される弾性部材をさらに備えた、
請求項１又は請求項２に記載の基板ユニット。
【請求項４】
前記導風板は、前記基板に回動可能に連結された回動板と、前記アームに回動可能に連結されると共に前記回動板に対して冷却風の案内方向にスライドするスライド板とを有している、
請求項１〜請求項３のいずれか一項に記載の基板ユニット。
【請求項５】
前記回動板は、前記導風板の回動端側に開口する凹状の収容部を有し、
前記スライド板は、前記収容部に出入される、
請求項４に記載の基板ユニット。
【請求項６】
前記導風板は、前記基板との間に部品実装用の隙間を有している、
請求項１〜請求項５のいずれか一項に記載の基板ユニット。
【請求項７】
前記アームは、前記基板との間に通風用の隙間を有している、
請求項１〜請求項６のいずれか一項に記載の基板ユニット。
【請求項８】
請求項１〜請求項７のいずれか一項に記載の基板ユニットと、
前記第一の方向からの冷却風の流れを形成するファンユニットと、
前記導風板が前記第一回動位置に位置されるように前記アームの位置を規定する規定部と、
を備えた電子機器。
【請求項９】
前記規定部は、前記アームの一端が挿入される逃がし部である、
請求項８に記載の電子機器。
【請求項１０】
前記基板ユニットは、前記基板が前記電子機器の垂直方向に延在されるように前記電子機器に実装されている、
請求項８又は請求項９に記載の電子機器。
【請求項１１】
請求項１〜請求項７のいずれか一項に記載の基板ユニットと、
前記第二の方向からの冷却風の流れを形成するファンユニットと、
前記導風板が前記第二回動位置に位置されるように前記アームの位置を規定する規定部と、
を備えた電子機器。
【請求項１２】
前記規定部は、前記アームの一端と当接される受け部である、
請求項１１に記載の電子機器。
【請求項１３】
前記基板ユニットは、前記基板が前記電子機器の水平方向に延在されるように前記電子機器に実装されている、
請求項１１又は請求項１２に記載の電子機器。
【発明の詳細な説明】
【技術分野】
【０００１】
本願の開示する技術は、基板ユニット及び電子機器に関する。
【背景技術】
【０００２】
従来、冷却対象物が実装された基板と、冷却風を冷却対象物に案内する導風板とを備えた基板ユニット、及び、この基板ユニットを実装した電子機器が知られている。このような電子機器には、一般に、基板ユニットを縦実装する縦実装型と、基板ユニットを横実装する横実装型とがある。
【先行技術文献】
【特許文献】
【０００３】
【特許文献１】特開２０１０−２７６４９号公報
【特許文献２】特開２０１２−１１４３７９号公報
【特許文献３】特開平６−１２０３８６号公報
【特許文献４】特開２００４−２００３４４号公報
【発明の概要】
【発明が解決しようとする課題】
【０００４】
しかしながら、縦実装型の電子機器と、横実装型の電子機器とでは、冷却風の流れる方向が異なる場合がある。この場合に、縦実装に合わせて導風板の角度を設定した縦実装用の基板ユニットを横実装型の電子機器に実装した場合、導風板の角度が適合しない虞がある。一方、縦実装に合わせて導風板の角度を設定した縦実装専用の基板ユニットと、横実装に合わせて導風板の角度を設定した横実装専用の基板ユニットとを別々に用意した場合には、コストアップとなる。
【０００５】
そこで、本願の開示する技術は、一つの側面として、縦実装型の電子機器と横実装型の電子機器とで共通の基板ユニットを使用することができるようにして、コストダウンすることを目的とする。
【課題を解決するための手段】
【０００６】
上記目的を達成するために、本願の開示する技術によれば、基板、導風板、及び、アームを備えた基板ユニットが提供される。基板には、冷却対象物が実装されている。導風板は、基板に回動可能に連結されている。この導風板は、基板に対して第一の方向から流れる冷却風を冷却対象物に案内する第一回動位置と、基板に対して第二の方向から流れる冷却風を冷却対象物に案内する第二回動位置とに変位される。アームは、基板に移動可能に取り付けられると共に、導風板の回動端に回動可能に連結されている。このアームは、移動に伴って導風板を第一回動位置と第二回動位置とに変位させる。
【発明の効果】
【０００７】
本願の開示する技術によれば、縦実装型の電子機器と横実装型の電子機器とで共通の基板ユニットを使用することができるので、コストダウンすることができる。
【図面の簡単な説明】
【０００８】
【図１】基板ユニットの平面図である。
【図２】図１に示される導風機構の斜視図である。
【図３】縦実装型の電子機器の斜視図である。
【図４】図３に示される縦実装型の電子機器の側面断面図である。
【図５】図４に示される導風機構の斜視図である。
【図６】横実装型の電子機器の斜視図である。
【図７】図６に示される横実装型の電子機器の平面断面図である。
【図８】図７に示される導風機構の斜視図である。
【図９】導風機構の変形例を示す斜視図である。
【発明を実施するための形態】
【０００９】
以下、図面を参照しながら、本願の開示する技術の一実施形態について説明する。
【００１０】
図１に示されるように、本実施形態に係る基板ユニット１０は、基板１２と、一対の導風機構１４Ａ，１４Ｂを備えている。基板１２は、平面視にて四角形に形成されている。この基板１２の一方の実装面１２Ａには、冷却対象物の一例である制御素子１６や、その他の図示しない電気部品等が実装されている。
【００１１】
基板１２に形成された一対の縦縁１３Ａ，１３Ｂのうち一方の縦縁１３Ａには、この縦縁１３Ａに沿って延びる前面板１８が取り付けられている。前面板１８は、基板１２の横方向（一対の横縁１３Ｃ，１３Ｄの延びる方向である矢印Ｃ方向）を板厚方向として配置されている。また、基板１２の一方の実装面１２Ａにおける他方の縦縁１３Ｂ側の部分には、コネクタ２０が実装されている。
【００１２】
一対の導風機構１４Ａ，１４Ｂは、基板１２の一方の実装面１２Ａ上に設けられている。この一対の導風機構１４Ａ，１４Ｂは、基板１２の縦方向（一対の縦縁１３Ａ，１３Ｂの延びる方向である矢印Ｌ方向）に並んで配置されている。一方の導風機構１４Ａは、一対の導風板２２と、支持部材２４と、アーム２６と、バネ２８とを有している（図２も参照）。
【００１３】
一対の導風板２２は、互いに同一の構成とされており、基板１２の横方向に並んで配置されている。この一対の導風板２２は、制御素子１６に隣接して設けられている。この一対の導風板２２は、後述する如く冷却風を案内するものであり、制御素子１６に対する他方の横縁１３Ｄ側で且つこの制御素子１６に対する基板１２の横方向両側に配置されている。
【００１４】
各導風板２２は、回動板３０及びスライド板３２を有している。この回動板３０及びスライド板３２は、それぞれ平板状に形成されており、基板１２と交差（一例として直交）して配置されている。回動板３０は、導風板２２における基端２２Ａ側に配置されている。この回動板３０の基端２２Ａ（導風板２２の基端２２Ａ）は、基板１２の板厚方向を軸方向とする回動軸３４を介して基板１２に回動可能に連結されている。スライド板３２は、導風板２２における回動端２２Ｂ側に配置されている。このスライド板３２における回動板３０側と反対側の端部（導風板２２の回動端２２Ｂ）は、基板１２の板厚方向を軸方向とする回動軸３６を介してアーム２６に回動可能に連結されている（図２も参照）。
【００１５】
また、回動板３０は、導風板２２の回動端２２Ｂ側に開口する凹状の収容部３８を有しており、スライド板３２は、この収容部３８に出入されるようになっている。そして、スライド板３２が収容部３８に出入されることでスライド板３２が回動板３０に対して冷却風の案内方向にスライドし、これにより、導風板２２が長さ方向（つまり冷却風の案内方向）に伸縮する（図５，図８も参照）。
【００１６】
支持部材２４は、一対の導風板２２よりも基板１２の他方の縦縁１３Ｂ側に配置されている。この支持部材２４は、基板１２の一方の実装面１２Ａに固定されている。この支持部材２４は、基板１２の横方向に対向する一対の側壁部４０，４２と、この一対の底壁部４４を繋ぐ底壁部４４とを有している。一対の側壁部４０，４２には、図２に示されるように、後述するアーム２６のＬ字状の断面と略同様の形状を有するＬ字状の貫通孔４６がそれぞれ形成されている。この一対の貫通孔４６は、同軸上に形成されている。
【００１７】
アーム２６は、断面Ｌ字状に形成されており、直線状に延びている。このアーム２６は、基板１２の横方向（矢印Ｃ方向）を長手方向として配置されている。このアーム２６は、一対の導風板２２側と反対側に延びる延長部４８を有しており、この延長部４８は、上述の一対の貫通孔４６にそれぞれ遊挿されている。この延長部４８の先端部４８Ａは、アームの一端の一例であり、支持部材２４に対して一対の導風板２２側と反対側に突出している。
【００１８】
また、上述のように、基板１２に回動可能に連結された一対の導風板２２の回動端２２Ｂにアーム２６が回動可能に連結されると共に、一対の貫通孔４６に延長部４８が遊挿されることにより、アーム２６は、基板１２に移動可能に取り付けられている。このアーム２６の移動方向は、基板１２の横方向（矢印Ｃ方向）とされている。また、このアーム２６は、基板１２の厚さ方向（矢印Ｔ方向）に基板１２と離間して設けられており、これにより、このアーム２６は、基板１２との間に通風用の隙間５０を有している。さらに、アーム２６には、突起部５２が形成されている。この突起部５２は、一対の側壁部４０，４２の間に位置されている。また、この突起部５２は、アーム２６の長手方向と直交する方向に延びている。
【００１９】
バネ２８は、弾性部材の一例であり、コイルバネとされている。このバネ２８は、アーム２６の長手方向（基板１２の横方向）を軸方向として配置されている。このバネ２８の内側には、アーム２６の延長部４８が挿入されている。このバネ２８は、上述の側壁部４０と突起部５２との間に介挿されており、バネ２８の一端は、側壁部４０に係止され、バネ２８の他端は、突起部５２に係止されている。側壁部４０は、基板に設けられた第一係止部の一例であり、突起部５２は、アームに設けられた第二係止部の一例である。
【００２０】
そして、この一方の導風機構１４Ａでは、基板１２の横方向へのアーム２６の移動に伴い、一対の導風板２２の回動位置（角度）が変位する。つまり、図５に示されるように、バネ２８が自由状態（非弾性変形状態）にあるときには、一対の導風板２２が基板１２の縦方向（矢印Ｌ方向）に沿って配置される。以下、このように一対の導風板２２が基板１２の縦方向に沿って配置されたときの一対の導風板２２の回動位置を第一回動位置と称する。また、このときには、アーム２６によりスライド板３２が押し込まれて、このスライド板３２が回動板３０の収容部３８に挿入される。そして、これにより、導風板２２が収縮された状態となる。
【００２１】
一方、図８に示されるように、バネ２８の弾性力に抗して、アーム２６が基板１２の一方の縦縁１３Ａ側に移動させられると、このアーム２６の移動に伴い一対の導風板２２が基板１２の縦方向（矢印Ｌ方向）に対して傾斜して配置される。このとき、一対の導風板２２は、より具体的には、回動端２２Ｂが基端２２Ａに対して基板１２の一方の縦縁１３Ａ側に位置するように基板１２の縦方向に対して傾斜して配置される。以下、このように回動端２２Ｂが基端２２Ａに対して基板１２の一方の縦縁１３Ａ側に位置するように一対の導風板２２が基板１２の縦方向に対して傾斜して配置されたときの一対の導風板２２の回動位置を第二回動位置と称する。また、このときには、アーム２６によりスライド板３２が引っ張られて、このスライド板３２が回動板３０の収容部３８から引き出される。そして、これにより、導風板２２が伸長された状態となる。
【００２２】
このように、この一方の導風機構１４Ａでは、アーム２６の移動に伴って一対の導風板２２が第一回動位置（図５参照）と第二回動位置（図８参照）とに変位される。また、バネ２８が自由状態（非弾性変形状態）にあるときには、一対の導風板２２が第一回動位置に位置され、一対の導風板２２が第二回動位置にあるときには、バネ２８が弾性変形されるように、バネ２８の軸長は設定されている。
【００２３】
図１に示される他方の導風機構１４Ｂは、上述の一方の導風機構１４Ａに対して基板１２の縦方向に対称に配置されている。この他方の導風機構１４Ｂは、上述の一方の導風機構１４Ａと同様に、一対の導風板２２と、アーム２６と、支持部材２４と、バネ２８とを有している。
【００２４】
この他方の導風機構１４Ｂにおける一対の導風板２２、アーム２６、及び、支持部材２４は、上述の一方の導風機構１４Ａにおける一対の導風板２２、アーム２６、及び、支持部材２４とそれぞれ基板１２の縦方向（矢印Ｌ方向）に対称に形成されたものである。この他方の導風機構１４Ｂにおける一対の導風板２２、アーム２６、及び、支持部材２４については、上述の一方の導風機構１４Ａにおける一対の導風板２２、アーム２６、及び、支持部材２４についての説明を参照することとして、その説明を省略する。バネ２８は、上述の一方の導風機構１４Ａのバネ２８と同様に、支持部材２４に形成された側壁部４０とアーム２６に形成された突起部５２（図２参照）との間に介挿されている。
【００２５】
そして、この他方の導風機構１４Ｂにおいても、基板１２の横方向へのアーム２６の移動に伴い、一対の導風板２２の回動位置が変位する。つまり、バネ２８が自由状態（非弾性変形状態）にあるときには、一対の導風板２２が基板１２の縦方向に沿って配置される（図４参照）。以下、このように一対の導風板２２が基板１２の縦方向に沿って配置されたときの一対の導風板２２の回動位置を第一回動位置と称する。
【００２６】
一方、バネ２８の弾性力に抗して、アーム２６が基板１２の一方の縦縁１３Ａ側に移動させられると、このアーム２６の移動に伴い一対の導風板２２が基板１２の縦方向に対して傾斜して配置される（図７参照）。このとき、一対の導風板２２は、より具体的には、回動端２２Ｂが基端２２Ａに対して基板１２の他方の縦縁１３Ｂ側に位置するように基板１２の縦方向に対して傾斜して配置される。以下、他方の導風機構１４Ｂにおいて、回動端２２Ｂが基端２２Ａに対して基板１２の他方の縦縁１３Ｂ側に位置するように一対の導風板２２が基板１２の縦方向に対して傾斜して配置されたときの一対の導風板２２の回動位置を第二回動位置と称する。
【００２７】
このように、この他方の導風機構１４Ｂにおいても、アーム２６の移動に伴って一対の導風板２２が第一回動位置（図４参照）と第二回動位置（図７参照）とに変位される。また、バネ２８が自由状態（非弾性変形状態）にあるときには、一対の導風板２２が第一回動位置に位置され、一対の導風板２２が第二回動位置にあるときには、バネ２８が弾性変形されるように、バネ２８の軸長は設定されている。
【００２８】
次に、上述の基板ユニット１０が実装される縦実装型の電子機器について説明する。
【００２９】
図３に示されるように、縦実装型の電子機器１１０は、複数の基板ユニット１０と、筐体５４と、複数のファンユニット５６と、バックワイヤリングボード５８とを備えている。
【００３０】
筐体５４は、電子機器１１０の前面側に開口する箱型に形成されている。この筐体５４には、複数の基板ユニット１０を収容する複数のスロット６０が形成されている。複数のスロット６０は、電子機器１１０の幅方向（矢印Ｗ方向）に並んでいる。
【００３１】
複数の基板ユニット１０は、複数のスロット６０の夫々に収容される。各基板ユニット１０は、基板１２が電子機器１１０の垂直方向（高さ方向である矢印Ｈ方向）に延在されるように電子機器１１０に実装される。また、各基板ユニット１０は、基板１２の板厚方向が電子機器１１０の幅方向と一致すると共に、基板１２の縦方向が電子機器１１０の高さ方向と一致するように配置される。
【００３２】
複数のファンユニット５６は、電子機器１１０の幅方向及び奥行方向にマトリックス状に配置されている。この複数のファンユニット５６は、複数の基板ユニット１０に対して電子機器１１０の底面側に位置されている。そして、各ファンユニット５６は、図４に示されるように、基板１２に対して電子機器１１０の底面側（下方）から流れる冷却風Ｗ１の流れを形成する。この冷却風Ｗ１は、電子機器１１０の側面断面視にて基板１２の縦方向（電子機器の高さ方向）に沿って基板１２に進入する。この冷却風Ｗ１は、基板に対して第一の方向から流れる冷却風の一例である。
【００３３】
バックワイヤリングボード５８は、複数の基板ユニット１０よりも電子機器１１０の後面側に設けられており、筐体５４の収容されている。このバックワイヤリングボード５８は、基板本体６２とコネクタ６４を有している。基板本体６２は、電子機器１１０の奥行方向を板厚方向として配置されている。コネクタ６４は、上述の基板ユニット１０のコネクタ２０と対応する位置に設けられている。このコネクタ６４は、基板ユニット１０が電子機器１１０に実装されたときには、この基板ユニット１０のコネクタ２０と接続される。
【００３４】
また、バックワイヤリングボード５８の基板本体６２には、上述の一対の導風機構１４Ａ，１４Ｂに設けられたアーム２６の延長部４８と対応する位置に逃がし部６６がそれぞれ形成されている。各逃がし部６６は、アームの位置を規定する規定部の一例であり、基板本体６２の板厚方向に貫通する貫通孔により形成されている。各逃がし部６６は、延長部４８の先端部４８Ａを挿入可能な大きさ及び形状で形成されている。
【００３５】
そして、この縦実装型の電子機器１１０では、基板ユニット１０が電子機器１１０に実装されると、一対の導風機構１４Ａ，１４Ｂに設けられたアーム２６の延長部４８における先端部４８Ａが逃がし部６６にそれぞれ挿入される。一方の導風機構１４Ａにおいて、延長部４８の先端部４８Ａが逃がし部６６に挿入されると、バネ２８が自由状態に維持されて、一対の導風板２２が基板１２の縦方向に沿って配置される（つまり、第一回動位置に位置される）。また、このときには、アーム２６により各スライド板３２が押し込まれて、各スライド板３２が回動板３０の収容部３８にそれぞれ挿入される。そして、これにより、各導風板２２が冷却風Ｗ１の案内方向に収縮された状態となる。
【００３６】
同様に、他方の導風機構１４Ｂにおいても、延長部４８の先端部４８Ａが逃がし部６６に挿入されると、バネ２８が自由状態に維持されて、一対の導風板２２が基板１２の縦方向に沿って配置される（つまり、第一回動位置に位置される）。また、このときには、アーム２６により各スライド板３２が押し込まれて、各スライド板３２が回動板３０の収容部３８にそれぞれ挿入される。そして、これにより、各導風板２２が冷却風Ｗ１の案内方向に収縮された状態となる。
【００３７】
このように、縦実装型の電子機器１１０では、基板ユニット１０が電子機器１１０に実装されると、アーム２６の位置が逃がし部６６により規定されて、一対の導風機構１４Ａ，１４Ｂに設けられた一対の導風板２２がそれぞれ第一回動位置に維持される。
【００３８】
また、縦実装型の電子機器１１０に基板ユニット１０が実装された状態で、複数のファンユニット５６が作動すると、基板１２に対して電子機器１１０の底面側（下方）から流れる冷却風Ｗ１の流れが形成される。そして、上述の如く各導風板２２が第一回動位置に位置されているときには、この冷却風Ｗ１が各導風板２２によって制御素子１６に案内され、制御素子１６が冷却される。このとき、冷却風Ｗ１は、より具体的には、基板１２の縦方向（電子機器１１０の高さ方向）に沿って流れると共に、他方の導風機構１４Ｂにおける一対の導風板２２の間、及び、一方の導風機構１４Ａにおける一対の導風板２２の間を通過して、制御素子１６に至る。
【００３９】
次に、上述の基板ユニット１０が実装される横実装型の電子機器について説明する。
【００４０】
図６に示される横実装型の電子機器１２０は、上述の縦実装型の電子機器１１０（図３参照）と同様に、複数の基板ユニット１０と、筐体５４と、複数のファンユニット５６と、バックワイヤリングボード５８とを備えている。この横実装型の電子機器１２０は、上述の縦実装型の電子機器１１０に対し、次のように構造が変更されている。
【００４１】
つまり、筐体５４に形成された複数のスロット６０は、電子機器１２０の高さ方向（矢印Ｈ方向）に並んでいる。また、各基板ユニット１０は、基板１２が電子機器の水平方向（幅方向及び奥行方向）に延在されるように電子機器１２０に実装される。また、各基板ユニット１０は、基板１２の縦方向（矢印Ｌ方向）が電子機器１２０の幅方向（矢印Ｗ方向）と一致するように配置される。
【００４２】
複数のファンユニット５６は、電子機器１２０の高さ方向に並んで配置されている。この複数のファンユニット５６は、筐体５４の内部における左後方の角部に配置されている。一方、筐体５４の前面右隅部には、空気導入口６８が形成されている。この空気導入口６８は、電子機器の高さ方向に沿って延びている。そして、各ファンユニット５６は、図７に示されるように、空気導入口６８から導入されて基板１２に対して電子機器の右前方から流れる冷却風Ｗ２の流れを形成する。この冷却風Ｗ２は、電子機器１２０の平面断面視にて基板１２の縦方向（電子機器の幅方向）に対して斜めの方向に沿って基板１２に進入する。この冷却風Ｗ２は、基板に対して第二の方向から流れる冷却風の一例である。
【００４３】
バックワイヤリングボード５８は、複数の基板ユニット１０よりも電子機器１２０の後面側に設けられており、筐体５４の収容されている。このバックワイヤリングボード５８の基板本体６２は、電子機器１２０の奥行方向を板厚方向として配置されている。コネクタ６４は、基板ユニット１０が電子機器１２０に実装されたときには、この基板ユニット１０のコネクタ２０と接続される。
【００４４】
また、バックワイヤリングボード５８の基板本体６２における各アーム２６の延長部４８の延長線上に位置する部分は、それぞれ受け部７０として形成されている。各受け部７０は、アームの位置を規定する規定部の一例である。
【００４５】
そして、この横実装型の電子機器１２０では、基板ユニット１０が電子機器１２０に実装されると、一対の導風機構１４Ａ，１４Ｂに設けられたアーム２６の延長部４８における先端部４８Ａが受け部７０にそれぞれ当接される。一方の導風機構１４Ａにおいて、延長部４８の先端部４８Ａが受け部７０に当接されると、バネ２８の弾性力に抗して、アーム２６が基板１２の一方の縦縁１３Ａ側（電子機器の前面側）に移動されて、一対の導風板２２が回動される。つまり、一方の導風機構１４Ａにおいて一対の導風板２２は、回動端２２Ｂが基端２２Ａに対して基板１２の一方の縦縁１３Ａ側に位置するように基板１２の縦方向に対して傾斜して配置される（つまり、第二回動位置に位置される）。また、このときには、アーム２６によりスライド板３２が引っ張られて、このスライド板３２が回動板３０の収容部３８から引き出される。そして、これにより、導風板２２が冷却風Ｗ２の案内方向に伸長された状態となる。
【００４６】
同様に、他方の導風機構１４Ｂにおいても、延長部４８の先端部４８Ａが受け部７０に当接されると、バネ２８の弾性力に抗して、アーム２６が基板１２の一方の縦縁１３Ａ側（電子機器１２０の前面側）に移動されて、一対の導風板２２が回動される。つまり、他方の導風機構１４Ｂにおいて、一対の導風板２２は、回動端２２Ｂが基端２２Ａに対して基板１２の他方の縦縁１３Ｂ側に位置するように基板１２の縦方向に対して傾斜して配置される（つまり、第二回動位置に位置される）。また、このときには、アーム２６によりスライド板３２が引っ張られて、このスライド板３２が回動板３０の収容部３８から引き出される。そして、これにより、導風板２２が冷却風Ｗ２の案内方向に伸長された状態となる。
【００４７】
このように、横実装型の電子機器１２０では、基板ユニット１０が電子機器１２０に実装されると、アーム２６の位置が受け部７０により規定されて、一対の導風機構１４Ａ，１４Ｂに設けられた一対の導風板２２がそれぞれ第二回動位置に変位される。
【００４８】
また、横実装型の電子機器１２０に基板ユニット１０が実装された状態で、複数のファンユニット５６が作動すると、空気導入口６８から導入されて基板１２に対して電子機器１２０の右前方から流れる冷却風Ｗ２の流れが形成される。そして、上述の如く各導風板２２が第二回動位置に位置されているときには、この冷却風Ｗ２が各導風板２２によって制御素子１６に案内され、制御素子１６が冷却される。
【００４９】
このとき、冷却風Ｗ２は、より具体的には、以下のように流れる。つまり、空気導入口６８から導入されて基板１２に対して電子機器１２０の右前方から流れる冷却風Ｗ２は、他方の導風機構１４Ｂにおける一対の導風板２２によって電子機器１２０の幅方向に流れの向きが変更される。また、他方の導風機構１４Ｂにおける一対の導風板２２の間を通過した冷却風Ｗ２は、一方の導風機構１４Ａにおける一対の導風板２２によって電子機器１２０の左前方に流れの向きが変更されて制御素子１６に至る。そして、このようにして制御素子１６を冷却した冷却風Ｗ２は、電子機器１２０の後面側に流れの向きが変更されて複数のファンユニット５６に吸い込まれる。
【００５０】
次に、本実施形態の作用及び効果について説明する。
【００５１】
以上詳述したように、縦実装型の電子機器１１０と、横実装型の電子機器１２０とでは、基板１２に対する冷却風の流れの方向（基板１２に進入する冷却風の方向）が異なる。しかしながら、本実施形態に係る基板ユニット１０によれば、冷却風の流れの方向が異なる場合でも、この冷却風の流れの方向に対応して各導風板２２の回動位置（角度）を変更することができる。これにより、縦実装型の電子機器１１０と横実装型の電子機器１２０とで共通の基板ユニット１０を使用することができる。この結果、縦実装用の基板ユニットと横実装用の基板ユニットとを別々に用意する場合に比して、コストダウンすることができる。
【００５２】
また、縦実装型の電子機器１１０では、バックワイヤリングボード５８の基板本体６２に孔状の逃がし部６６が形成されており、この逃がし部６６には、アーム２６に形成された延長部４８の先端部４８Ａが挿入される。そして、これにより、アーム２６の位置が規定されて各導風板２２が第一回動位置に位置される。一方、横実装型の電子機器１２０では、バックワイヤリングボード５８の基板本体６２の一部が受け部７０として形成されており、この受け部７０には、延長部４８の先端部４８Ａが当接される。そして、これにより、アーム２６の位置が規定されて各導風板２２が第二回動位置に位置される。従って、基板ユニット１０の実装時にアーム２６の位置を規定することができると共に、このアーム２６の規定位置に従って各導風板２２の角度を変更することができるので、使い勝手を良好にすることができる。
【００５３】
また、縦実装型の電子機器１１０では、アーム２６の位置を規定するための構造が、バックワイヤリングボード５８の基板本体６２に形成された孔状の逃がし部６６とされている。一方、横実装型の電子機器１２０では、アーム２６の位置を規定するための構造が、バックワイヤリングボード５８の基板本体６２の一部により形成された受け部７０とされている。従って、アーム２６の位置を規定する構造が簡単であるので、このことによっても、コストダウンを図ることができる。
【００５４】
また、導風板２２は、冷却風の案内方向に伸縮する。従って、アーム２６の移動に伴って導風板２２を円滑に回動させることができる。
【００５５】
また、アーム２６に外力が加えられていないときには、バネ２８が自由状態となるので、各導風板２２を初期位置である第一回動位置に位置させることができる。
【００５６】
また、導風板２２は、基板１２に回動可能に連結された回動板３０と、アーム２６に回動可能に連結されると共に回動板３０に対して冷却風の案内方向にスライドするスライド板３２とを有している。従って、簡単な構成で、導風板２２を冷却風の案内方向に伸縮させることができる。
【００５７】
また、この回動板３０及びスライド板３２は、平板状に形成されている。従って、冷却風に対する抵抗を低減することができるので、冷却風を円滑に案内することができる。これにより、冷却風による冷却効率を向上させることができる。
【００５８】
また、回動板３０は、導風板２２の回動端２２Ｂ側に開口する凹状の収容部３８を有し、スライド板３２は、この収容部３８に出入される。従って、例えば、回動板３０及びスライド板３２が重ね合わされるようにして導風板２２が収縮される場合に比して、回動板３０とスライド板３２との間の段差を低くすることができる。これにより、導風板２２により冷却風を安定して案内することができる。
【００５９】
しかも、回動板３０に対してスライド板３２をスライドさせて導風板２２を伸縮させても、冷却風の案内方向において回動板３０とスライド板３２との間の段差（つまり、収容部３８の開口縁部）の位置が変化しない。従って、このことによっても、導風板２２により冷却風を安定して案内することができる。
【００６０】
また、アーム２６は、基板１２との間に通風用の隙間５０を有しているので、この隙間５０を通じて冷却風を通すことができる。これにより、基板１２に対する冷却効率を向上させることができる。
【００６１】
次に、本実施形態の変形例について説明する。
【００６２】
上記実施形態では、基板１２に実装された制御素子１６が、冷却対象物とされていたが、例えば、ヒートシンクなどのその他の部材が冷却対象物とされていても良い。
【００６３】
また、図４に示されるように、冷却風Ｗ１は、基板に対する第一の方向の一例として、基板１２に対して電子機器の底面側（下方）から流れていた。しかしながら、この冷却風Ｗ１は、基板１２に対して電子機器の底面側以外の方向から流れても良い。
【００６４】
同様に、図７に示されるように、冷却風Ｗ２は、基板に対する第二の方向の一例として、空気導入口６８から導入されると共に、基板１２に対して電子機器１２０の右前方から流れていた。しかしながら、冷却風Ｗ２は、基板１２に対して電子機器１２０の右前方以外の方向から流れても良い。また、冷却風Ｗ１，Ｗ２は、第一の方向及び第二の方向の一例として、基板１２に対してどの方向から流れても良い。
【００６５】
また、基板ユニット１０が縦実装型の電子機器１１０に実装された場合に、各導風板２２は、第一回動位置の一例として、基板１２の縦方向に沿って配置されていた。しかしながら、基板ユニット１０が縦実装型の電子機器１１０に実装された場合に、各導風板２２は、第一回動位置の一例として、基板１２の縦方向に対して傾斜して配置されても良い。
【００６６】
また、基板ユニット１０が横実装型の電子機器１２０に実装された場合に、各導風板２２は、第二回動位置の一例として、基板１２の縦方向に対して傾斜して配置されていた。しかしながら、基板ユニット１０が横実装型の電子機器１２０に実装された場合に、各導風板２２は、第二回動位置の一例として、基板１２の縦方向に沿って配置されても良い。また、各導風板２２は、第一回動位置及び第二回動位置の一例として、どの方向に沿って配置されても良い。
【００６７】
また、アーム２６は、基板１２の横方向に移動可能に基板１２に取り付けられていた。しかしながら、アーム２６は、基板１２のどの方向に移動可能に基板１２に取り付けられていても良い。
【００６８】
また、アーム２６は、導風板２２の回動端２２Ｂ（導風板２２における冷却風の案内方向の下流側の端部）に回動可能に連結されていた。しかしながら、この導風板２２の回動端２２Ｂには、アーム２６との連結部よりも冷却風の案内方向の下流側に延びる延長部が形成されていても良い。
【００６９】
また、導風板２２は、冷却風の案内方向に伸縮するように構成されていた。しかしながら、例えば、導風板２２の長さ方向（冷却風の案内方向）に延びる長孔が導風板２２及びアーム２６の一方に形成されると共に、この長孔に移動可能に係合されたピンが導風板２２及びアーム２６の他方に形成されても良い。そして、このピンが長孔を移動することにより、アーム２６の移動に伴って導風板２２が回動されても良い。
【００７０】
また、基板ユニット１０は、弾性部材の一例として、コイル式のバネを有していたが、このバネ２８の代わりに、その他の弾性部材が用いられても良い。
【００７１】
また、バネ２８の一端が係止される第一係止部の一例として、基板１２に設けられた支持部材２４の側壁部４０が用いられていたが、基板１２に設けられたその他の係止部が第一係止部の一例として用いられていても良い。また、バネ２８の他端が係止される第二係止部の一例として、アーム２６に形成された突起部５２が用いられていたが、基板１２に設けられたその他の係止部が第二係止部の一例として用いられていても良い。
【００７２】
また、基板ユニット１０では、各導風板２２が第一回動位置にあるときにバネ２８が自由状態になるようにバネ２８の軸長が設定されていた。しかしながら、各導風板２２が第一回動位置にあるときにバネ２８が弾性変形されるようにバネ２８の軸長が設定されていても良い。また、この場合に、バネ２８が自由状態にあるときの回動位置が各導風板２２の第二回動位置とされても良い。
【００７３】
また、基板ユニット１０からはバネ２８が省かれても良い。そして、このバネ２８などの弾性部材を用いずに、例えば、保持部等により、アーム２６の初期位置（アーム２６に外力が加えられていないときの位置）が規定されても良い。
【００７４】
また、導風板２２は、回動板３０及びスライド板３２を有していた。しかしながら、導風板２２は、例えば、蛇腹状に形成されることや、伸縮可能な材質で形成されること等により、冷却風の案内方向に伸縮されても良い。
【００７５】
また、回動板３０に収容部３８が形成されると共に、この収容部３８にスライド板３２が収容されることで、導風板２２が冷却風の案内方向に収縮していた。しかしながら、回動板３０及びスライド板３２が厚み方向に重ね合わされることにより、導風板２２が冷却風の案内方向に収縮しても良い。
【００７６】
また、縦実装型の電子機器１１０において、逃がし部６６は、バックワイヤリングボード５８の基板本体６２に形成された貫通孔により形成されていた。しかしながら、この逃がし部６６は、例えば、バックワイヤリングボード５８の基板本体６２に形成された凹部により形成されても良い。
【００７７】
また、逃がし部６６が凹部により形成された場合には、逃がし部６６の形状が変更されることの一例として、例えば、逃がし部６６の底部の深さが変更されることにより、アーム２６の規定位置、ひいては、導風板２２における第一回動位置が調節されても良い。また、この逃がし部６６の底部の深さは、例えば、この逃がし部６６の内側に基板本体６２とは別部材であるスペーサが挿入されることにより調節されても良い。また、基板本体６２と共に凹部である逃がし部６６の位置が変更されることにより、アーム２６の規定位置が調節されても良い。
【００７８】
さらに、縦実装型の電子機器１１０において、アーム２６の長さ（延長部４８の長さ）が変更されることにより、アーム２６の規定位置が調節されても良い。また、アーム２６の長さ、凹部である逃がし部６６の形状、及び、凹部である逃がし部６６の位置の少なくともいずれかが変更されることにより、アーム２６の規定位置が調節されても良い。
【００７９】
また、横実装型の電子機器において、受け部７０は、バックワイヤリングボード５８の基板本体６２の一部により形成されていた。しかしながら、この受け部７０は、例えば、バックワイヤリングボード５８の基板本体６２とは別体の部材により形成されていても良い。
【００８０】
また、受け部７０が基板本体６２とは別体の部材により形成される場合には、この受け部７０の形状や位置が変更されることにより、アーム２６の規定位置、ひいては、導風板２２における第二回動位置が調節されても良い。また、基板本体６２と共に受け部７０の位置が変更されることにより、アーム２６の規定位置が調節されても良い。
【００８１】
さらに、横実装型の電子機器において、アーム２６の長さ（延長部４８の長さ）が変更されることにより、アーム２６の規定位置が調節されても良い。また、アーム２６の長さ、受け部７０の形状、及び、受け部７０の位置の少なくともいずれかが変更されることにより、アーム２６の規定位置が調節されても良い。
【００８２】
また、基板ユニット１０は、一対の導風機構１４Ａ，１４Ｂを有していたが、基板ユニット１０における導風機構の数は、その他でも良い。
【００８３】
また、図９に示されるように、各導風板２２は、基板１２の板厚方向に基板１２と離間されて、この基板１２との間に部品実装用の隙間７２を有していても良い。このように構成されていると、導風板２２と基板１２との間の隙間７２を利用して基板１２に部品を実装することができる。これにより、基板１２における部品の実装効率を向上させることができる。
【００８４】
なお、上記複数の変形例は、適宜、組み合わされて実施可能である。
【００８５】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００８６】
なお、上述の本願の開示する技術の一実施形態に関し、更に以下の付記を開示する。
【００８７】
（付記１）
冷却対象物が実装された基板と、
前記基板に回動可能に連結され、前記基板に対して第一の方向から流れる冷却風を前記冷却対象物に案内する第一回動位置と、前記基板に対して第二の方向から流れる冷却風を前記冷却対象物に案内する第二回動位置とに変位される導風板と、
前記基板に移動可能に取り付けられると共に、前記導風板の回動端に回動可能に連結され、移動に伴って前記導風板を前記第一回動位置と前記第二回動位置とに変位させるアームと、
を備えた基板ユニット。
（付記２）
前記導風板は、冷却風の案内方向に伸縮する、
付記１に記載の基板ユニット。
（付記３）
前記基板に設けられた第一係止部と、前記アームに設けられた第二係止部とに係止され、前記導風板が前記第一回動位置及び前記第二回動位置の一方にあるときに自由状態となり、前記導風板が前記第一回動位置及び前記第二回動位置の他方にあるときに弾性変形される弾性部材をさらに備えた、
付記１又は付記２に記載の基板ユニット。
（付記４）
前記導風板は、前記基板に回動可能に連結された回動板と、前記アームに回動可能に連結されると共に前記回動板に対して冷却風の案内方向にスライドするスライド板とを有している、
付記１〜付記３のいずれか一項に記載の基板ユニット。
（付記５）
前記回動板は、前記導風板の回動端側に開口する凹状の収容部を有し、
前記スライド板は、前記収容部に出入される、
付記４に記載の基板ユニット。
（付記６）
前記導風板は、前記基板との間に部品実装用の隙間を有している、
付記１〜付記５のいずれか一項に記載の基板ユニット。
（付記７）
前記アームは、前記基板との間に通風用の隙間を有している、
付記１〜付記６のいずれか一項に記載の基板ユニット。
（付記８）
前記導風機構を有している、
付記１〜付記７のいずれか一項に記載の基板ユニット。
（付記９）
前記導風板は、前記第一回動位置にあるときに前記基板の縦方向に沿って配置される、
付記１〜付記８のいずれか一項に記載の基板ユニット。
（付記１０）
前記導風板は、前記第二回動位置にあるときに前記基板の縦方向に対して傾斜して配置される、
付記１〜付記９のいずれか一項に記載の基板ユニット。
（付記１１）
付記１〜付記１０のいずれか一項に記載の基板ユニットと、
前記第一の方向からの冷却風の流れを形成するファンユニットと、
前記導風板が前記第一回動位置に位置されるように前記アームの位置を規定する規定部と、
を備えた電子機器。
（付記１２）
前記規定部は、前記アームの一端が挿入される逃がし部である、
付記１１に記載の電子機器。
（付記１３）
前記基板ユニットは、前記基板が前記電子機器の垂直方向に延在されるように前記電子機器に実装されている、
付記１１又は付記１２に記載の電子機器。
（付記１４）
前記基板ユニットは、前記基板の縦方向が前記電子機器の高さ方向と一致するように配置され、
前記ファンユニットは、前記第一の方向として前記電子機器の下方から流れる冷却風の流れを形成する、
付記１１〜付記１３のいずれか一項に記載の電子機器。
（付記１５）
付記１〜付記１０のいずれか一項に記載の基板ユニットと、
前記第二の方向からの冷却風の流れを形成するファンユニットと、
前記導風板が前記第二回動位置に位置されるように前記アームの位置を規定する規定部と、
を備えた電子機器。
（付記１６）
前記規定部は、前記アームの一端と当接される受け部である、
付記１５に記載の電子機器。
（付記１７）
前記基板ユニットは、前記基板が前記電子機器の水平方向に延在されるように前記電子機器に実装されている、
付記１５又は付記１６に記載の電子機器。
（付記１８）
前記基板を収容する筐体をさらに備え、
前記基板ユニットは、前記基板の縦方向が前記電子機器の幅方向と一致するように配置され、
前記筐体の前面右隅部には、空気導入口が形成され、
前記ファンユニットは、前記筐体の内部における左後方の角部に配置されると共に、前記第二の方向からの冷却風として、前記空気導入口から導入されて前記電子機器の右前方から流れる冷却風の流れを形成する、
付記１５〜付記１７のいずれか一項に記載の電子機器。
（付記１９）
前記アームの長さ、前記規定部の形状、及び、前記規定部の位置の少なくともいずれかを変更することにより、前記アームの規定位置を調節可能である、
付記１１〜付記１８のいずれか一項に記載の電子機器。
【符号の説明】
【００８８】
１０  基板ユニット
１２  基板
１４Ａ，１４Ｂ  導風機構
１６  制御素子（冷却対象物の一例）
２２  導風板
２６  アーム
２８  バネ（弾性部材の一例）
４０  側壁部（第一係止部の一例）
４８  延長部
５２  突起部（第二係止部の一例）
５４  筐体
５８  バックワイヤリングボード
６６  逃がし部
７０  受け部
【図１】
2014183103.tif 000003
【図２】
2014183103.tif 000004
【図３】
2014183103.tif 000005
【図４】
2014183103.tif 000006
【図５】
2014183103.tif 000007
【図６】
2014183103.tif 000008
【図７】
2014183103.tif 000009
【図８】
2014183103.tif 000010
【図９】
2014183103.tif 000011